(57)【要約】【課題】蒸気案内部材の着け忘れをユーザに気付かせて、蒸気案内部材が未装着のまま、炊飯が行われるのを防ぐことができる炊飯器を提供する。【解決手段】炊飯器は、被加熱物を収容する内鍋と、内鍋が収納される炊飯器本体と、炊飯器本体に回動可能に取り付けられて、外蓋(２１)と、この外蓋(２１)の内側に配置された内蓋(２２)とを有し、内鍋を覆うことが可能な蓋体(２)と、外蓋(２１)の内側に着脱可能に取り付けられ、内鍋内で発生した蒸気を炊飯器本体外へ案内する蒸気案内部材(６０)と、蒸気案内部材(６０)が外蓋(２１)へ取り付けられることで内蓋(２２)を蓋体(２)へ配置することが可能となるための機構(９０)とを備える。【選択図】図６
2013223705.tif 000002
【特許請求の範囲】
【請求項１】
被加熱物を収容する内鍋と、
上記内鍋が収納される炊飯器本体と、
上記炊飯器本体に回動可能に取り付けられて、外蓋と、この外蓋の内側に配置された内蓋とを有し、上記内鍋を覆うことが可能な蓋体と、
上記外蓋の内側に着脱可能に取り付けられ、上記内鍋内で発生した蒸気を上記炊飯器本体外へ案内する蒸気案内部材と、
上記案内部材が上記外蓋へ取り付けられることで上記内蓋を上記蓋体へ配置することが可能となるための機構と
を備えることを特徴とする炊飯器。
【請求項２】
請求項１に記載の炊飯器において、
上記機構は、上記外蓋の内側に設けられ、上記蒸気案内部材の着脱に連動する内蓋配置阻害部材を含み、
上記内蓋配置阻害部材は、上記外蓋の内側に上記蒸気案内部材を取り付けていないと、上記内蓋の配置を阻害する状態になる一方、上記外蓋の内側に上記蒸気案内部材を取り付けていると、上記内蓋の配置を阻害しない状態になることを特徴とする炊飯器。
【請求項３】
請求項１に記載の炊飯器において、
上記機構は支持部および係止部を含み、
上記支持部は、上記外蓋の内側に設けられ、上記内蓋の一端を支持する支持部であり、
上記係止部は、上記蒸気案内部材が有する係止部であって、上記内蓋の他端が解除可能に係止される係止部であることを特徴とする炊飯器。
【請求項４】
請求項１または３に記載の炊飯器において、
上記内蓋は、上記蒸気案内部材の一部に重なるように上記外蓋の内側に配置されることを特徴とする炊飯器。
【請求項５】
請求項３または４に記載の炊飯器において、
上記係止部は弾性変形可能であることを特徴とする炊飯器。
【発明の詳細な説明】
【技術分野】
【０００１】
本発明は炊飯器に関する。
【背景技術】
【０００２】
従来、炊飯器としては、特開２００７−２９２０６号公報(特許文献１)に開示されたものがある。この炊飯器は、米や水といった被加熱物を収容する内鍋と、この内鍋が収納される炊飯器本体と、この炊飯器本体に回動可能に取り付けられ、内鍋を覆うことが可能な蓋体とを備えている。
【０００３】
上記蓋体は、外蓋と、この外蓋の内側(内鍋側)の部分に取り付けられた内蓋とを有している。また、上記蓋体の外側(内鍋側とは反対側)の部分には、内鍋内で発生した蒸気を炊飯器本体外へ案内する蒸気案内部材を着脱可能に取り付けている。
【０００４】
上記構成の炊飯器では、蒸気案内部材は、蓋体の外部側から取り外して、汚れを容易に落とすことができる。つまり、上記蒸気案内部材の清掃性は良好である。
【先行技術文献】
【特許文献】
【０００５】
【特許文献１】特開２００７−２９２０６号公報(図１)
【発明の概要】
【発明が解決しようとする課題】
【０００６】
しかしながら、上記従来の炊飯器では、蓋体から取り外された蒸気案内部材が清掃された後、蒸気案内部材が蓋体に装着されずに、炊飯が行われてしまうという問題がある。
【０００７】
そこで、本発明の課題は、蒸気案内部材の付け忘れをユーザに気付かせて、蒸気案内部材が未装着のまま、炊飯が行われるのを防ぐことができる炊飯器を提供することにある。
【課題を解決するための手段】
【０００８】
上記課題を解決するため、本発明の炊飯器は、
被加熱物を収容する内鍋と、
上記内鍋が収納される炊飯器本体と、
上記炊飯器本体に回動可能に取り付けられて、外蓋と、この外蓋の内側に配置された内蓋とを有し、上記内鍋を覆うことが可能な蓋体と、
上記外蓋の内側に着脱可能に取り付けられ、上記内鍋内で発生した蒸気を上記炊飯器本体外へ案内する蒸気案内部材と、
上記蒸気案内部材が上記外蓋へ取り付けられることで上記内蓋を上記蓋体へ配置することが可能となるための機構と
を備えることを特徴としている。
【０００９】
上記構成によれば、上記蒸気案内部材が上記外蓋へ取り付けられることで上記内蓋を上記蓋体へ配置することが可能となるための機構を備えるので、蒸気案内部材の付け忘れをユーザに気付かせて、蒸気案内部材が未装着のまま、炊飯が行われるのを防ぐことができる。
【００１０】
一実施形態の炊飯器では、
上記機構は、上記外蓋の内側に設けられ、上記蒸気案内部材の着脱に連動する内蓋配置阻害部材を含み、
上記内蓋配置阻害部材は、上記外蓋の内側に上記蒸気案内部材を取り付けていないと、上記内蓋の配置を阻害する状態になる一方、上記外蓋の内側に上記蒸気案内部材を取り付けていると、上記内蓋の配置を阻害しない状態になる。
【００１１】
上記実施形態によれば、上記外蓋から蒸気案内部材を取り外して、蒸気案内部材を清掃した後、外蓋に蒸気案内部材を付け忘れると、内蓋配置阻害部材が内蓋の配置を阻害する。したがって、上記蒸気案内部材の付け忘れをユーザに気付かせて、蒸気案内部材が未装着のまま、炊飯が行われるのを防ぐことができる。
【００１２】
一実施形態の炊飯器では、
上記機構は支持部および係止部を含み、
上記支持部は、上記外蓋の内側に設けられ、上記内蓋の一端を支持する支持部であり、
上記係止部は、上記蒸気案内部材が有する係止部であって、上記内蓋の他端が解除可能に係止される係止部である。
【００１３】
上記実施形態によれば、上記蒸気案内部材を清掃する場合、蒸気案内部材の係止部と内蓋の他端との係止を解除した後、外蓋から蒸気案内部材を取り外して清掃する。そして、上記蒸気案内部材を清掃した後、もし、外蓋に蒸気案内部材を付け忘れると、内蓋の他端を蒸気案内部材の係止部に係止させることができないから、内蓋の姿勢が清掃前と変わる。したがって、上記蒸気案内部材の付け忘れをユーザに気付かせることができ、蒸気案内部材が未装着のまま、炊飯が行われるのを防ぐことができる。
【００１４】
一実施形態の炊飯器では、
上記内蓋は、上記蒸気案内部材の一部に重なるように上記外蓋の内側に配置される。
【００１５】
上記実施形態によれば、上記内蓋は、蒸気案内部材の一部に重なるように外蓋の内側に配置されるので、内蓋を動かして、内蓋が蒸気案内部材の一部に重ならないようにした後でなければ、蒸気案内部材は外蓋からを取り外せない。したがって、上記蒸気案内部材の清掃後には、内蓋を蒸気案内部材の一部に重ねる作業が必要となるので、内蓋の姿勢の変化に気付き易くなる。
【００１６】
一実施形態の炊飯器では、
上記係止部は弾性変形可能である。
【００１７】
上記実施形態によれば、上記係止部は弾性変形可能であるので、蒸気案内部材の係止部と内蓋の他端との係止およびその解除が容易である。
【発明の効果】
【００１８】
本発明の炊飯器によれば、被加熱物を収容する内鍋と、内鍋が収納される炊飯器本体と、炊飯器本体に回動可能に取り付けられて、外蓋と、この外蓋の内側に配置された内蓋とを有し、内鍋を覆うことが可能な蓋体と、外蓋の内側に着脱可能に取り付けられ、内鍋内で発生した蒸気を炊飯器本体外へ案内する蒸気案内部材と、蒸気案内部材が外蓋へ取り付けられることで内蓋を蓋体へ配置することが可能となるための機構とを備えることによって、ユーザは蒸気案内部材の付け忘れに気づけるので、蒸気案内部材が未装着のまま、炊飯が行われるのを防ぐことができる。
【図面の簡単な説明】
【００１９】
【図１】図１は本発明の第１実施形態の炊飯器の蓋体閉鎖時の概略斜視図である。
【図２】図２は上記炊飯器の蓋体開放時の概略斜視図である。
【図３】図３は上記炊飯器の回転体の概略下面図である。
【図４】図４は第１，第２攪拌アームの攪拌状態を説明するための概略斜視図である。
【図５】図５は上記炊飯器の模式端面図である。
【図６】図６は上記炊飯器の蓋体の概略下面図である。
【図７】図７は上記炊飯器の模式端面図である。
【図８】図８は本発明の第２実施形態の炊飯器の蓋体の模式下面図である。
【図９】図９は上記第２実施形態の内蓋が取り外された外蓋の模式下面図である。
【図１０】図１０は上記内蓋および蒸気キャップが取り外された外蓋の模式下面図である。
【図１１】図１１は図９のIX−IX線矢視の模式断面図である。
【図１２】図１２は図１０のXII−XII線矢視の模式断面図である。
【発明を実施するための形態】
【００２０】
以下、本発明の炊飯器を図示の実施形態により詳細に説明する。
【００２１】
図１は、本発明の第１実施形態の炊飯器を斜め上方から見た概略斜視図である。
【００２２】
上記炊飯器は、炊飯器本体１と、この炊飯器本体１に開閉可能に取り付けられた蓋体２とを備えている。
【００２３】
上記炊飯器本体１の前面には、蓋体２を開けるための開ボタン３を設けている。一方、炊飯器本体１の後面からは電源コード４の先端部が突き出ている。この電源コード４の大部分は、炊飯器本体１内のコードリール(図示せず)に引き出し可能に巻き付けられている。
【００２４】
上記蓋体２の上面の前部には、炊き方や調理名などを表示する液晶表示部５と、複数の操作ボタン６，６，…とを設けている。また、内鍋７(図２参照)の蒸気は、蓋体２の上面の後部の蒸気排出口５１から排出されるようになっている。
【００２５】
図２は、上記蓋体２を開いた状態の炊飯器の概略斜視図である。
【００２６】
上記炊飯器本体１には内鍋７が収納されており、被加熱物の一例としての米や水などが内鍋７内に入る。また、炊飯器本体１の上面の前部には被係止部８を設けている。この被係止部８には、蓋体２の下面の前部に設けられた係止部２３が解除可能に係止する。また、炊飯器本体１内には、蓋体２をロックするロック機構９を設けている。このロック機構９が蓋体２をロックしていないときには、開ボタン３を押すと、被係止部８が後方に移動して、被係止部８に対する係止部２３の係止は解除される。一方、ロック機構９が蓋体２をロックしているときは、開ボタン３を押しても、被係止部８が後方に移動せず、被係止部８に対する係止部２３の係止は解除されない。また、炊飯器本体１内には、内鍋７を誘導加熱するための誘導加熱コイル１０を設置している。
【００２７】
上記内鍋７は、例えばアルミニウムなどの高熱伝導部材で形成され、その外面に加熱効率を向上させる例えばステンレス等の磁性体を貼り付ける一方、内面に被加熱物の付着を防ぐためのフッ素樹脂をコーティングしている。
【００２８】
上記蓋体２は、蓋体２を閉じたときに内鍋７側とは反対側に位置する外蓋２１と、蓋体２を閉じたときに内鍋７側に位置する内蓋２２とを有している。この外蓋２１の後部の右側角部内には駆動モータ２４を設置している。また、外蓋２１の中央部内には回転可能に連結軸５５(図５参照)を設置している。この連結軸５５は、駆動モータ２４が発生した回転駆動力を、プーリ(図示せず)やベルト(図示せず)を介して受けて回転する。
【００２９】
また、上記炊飯器本体１と蓋体２との間には回転体１１を回転可能に配置している。この回転体１１は蓋体２に着脱可能に取り付けられている。より詳しくは、回転体１１の蓋体２側の部分からは回転軸１５の一方の端部が突出している(図４参照)。この回転軸１５は、一方の端部が外蓋２１の連結軸５５に着脱可能に連結されて、連結軸５５と一体に回転する。また、回転軸１５は回転体１１に対して回転可能となっている。
【００３０】
上記回転体１１に第１，第２攪拌アーム１２Ａ，１２Ｂを取り付けている。この第１，第２攪拌アーム１２Ａ，１２Ｂは、それぞれ、径方向において回転体１１と隣り合って、内鍋７内の米などに接触した攪拌状態と、内鍋７内の米などから乖離した非攪拌状態とをとることが可能になっている。すなわち、第１，第２攪拌アーム１２Ａ，１２Ｂのそれぞれは、一方の端部が回転体１１に回動可能に取り付けられて、他方の端部が、回転体１１から離れたり、回転体１１に近づいたりすることが可能になっている。なお、第１，第２攪拌アーム１２Ａ，１２Ｂは攪拌体の一例である。
【００３１】
図３は、上記回転体１１を内鍋７側から見た概略図である。
【００３２】
上記回転体１１は、蓋体側部材１３と、この蓋体側部材１３の内鍋７側の表面に着脱可能に取り付けられた内鍋側部材１４とを有している。蓋体側部材１３と内鍋側部材１４の間には、第１，第２攪拌アーム兼用傘ギア３０と、第１攪拌アーム用傘ギア３１Ａ，３２Ａ，３３Ａと、第２攪拌アーム用傘ギア３１Ｂ，３２Ｂ，３３Ｂとを配置している。回転軸１５の回転駆動は、第１，第２攪拌アーム兼用傘ギア３０および第１攪拌アーム用傘ギア３１Ａ，３２Ａ，３３Ａを介して第１攪拌アーム用回動軸３４Ａに伝わると共に、第１，第２攪拌アーム兼用傘ギア３０および第２攪拌アーム用傘ギア３１Ｂ，３２Ｂ，３３Ｂを介して第２攪拌アーム用回動軸３４Ｂに伝わる。これにより、回転軸１５が回転すれば、第１，第２攪拌アーム１２Ａ，１２Ｂを第１，第２攪拌アーム用回動軸３４Ａ，３４Ｂを中心に回動させて、図２，図３に示す非攪拌状態から図４に示す攪拌状態に切り替えたり、上記攪拌状態から上記非攪拌状態に切り替えたりすることが可能になっている。
【００３３】
なお、図４では、第１，第２攪拌アーム１２Ａ，１２Ｂを視認できるように、炊飯器本体１および蓋体２の図示を省略している。
【００３４】
図５は、上記炊飯器を鉛直面で切った端面を模式的に示す図である。
【００３５】
上記炊飯器本体１は、外ケース４１と、この外ケース４１内に配置され、内鍋７が収納される内ケース４２とを有している。この内ケース４２は、耐熱性と電気絶縁性を有する材料で形成されている。この内ケース４２の底部の中央部からは、内鍋７の底部に接触する温度センサ４３を配置している。また、図示しないが、外ケース４１と内ケース４２との間の空間の後面側(図５の右側)には、電源回路やインバータ回路などを含む電源部や、電源コード４を巻き取るコードリールなどを配置している。
【００３６】
上記外蓋２１の内側の部分には、内鍋２２の一端を支持する支持部５２を設けている。また、外蓋２１の内側の部分には耐熱プラスチック製の蒸気キャップ６０を着脱可能に取り付けている。この蒸気キャップ６０は、内鍋７内で発生した蒸気を図中矢印で示すように炊飯器本体１外へ案内する。また、蒸気キャップ６０の一部には内蓋２２の一部が重なっており、外蓋２１から内蓋２２を取り外さなければ、外蓋２１から蒸気キャップ６０を取り外せないようになっている。より詳しくは、蒸気キャップ６０は、連結軸５５側からヒンジ軸５３側に向かって延在する第１延在部６１と、連結軸５５と略平行な方向に延在する第２延在部６２とを有している。第１延在部６１の連結軸５５側の端部には、蒸気が流入する入口６３を設けている一方、第２延在部６２の外側(内鍋７側とは反対側)には、蒸気が流出する出口６４を設けている。また、第１延在部６１のヒンジ軸５３側の端部には、内蓋２２の他端が解除可能に係止される弾性変形可能な爪部６５を設けている。また、第２延在部６２の途中には、蒸気排出ファン５６からの吹き出し空気が流入する開口６６を設けている。なお、蒸気キャップ６０は蒸気案内部材の一例であり、爪部６５は係止部の一例である。
【００３７】
また、上記炊飯器は、蒸気キャップ６０が外蓋２１へ取り付けられることで内蓋２２を蓋体２へ配置することが可能となるための機構９０を備えている。この機構９０は、支持部５２および爪部６５を含んでいる。
【００３８】
なお、図５の５４は、蓋体２を開方向に付勢するスプリングである。
【００３９】
図６は、上記蓋体２を内鍋７側から見た概略図である。
【００４０】
上記内蓋２２は、図５，図６に示すように、円板状に形成された金属製の内蓋本体７１と、この内蓋本体７１の周縁部に固定されて内蓋本体７１を取り囲む耐熱プラスチック製の枠体７２とを有している。また、内蓋本体７１の周縁部の内鍋７側の表面には環状溝７３を設け、この環状溝７３に耐熱ゴム製の大径パッキン７４の一端部を嵌め込んでいる。これにより、蓋体２の閉鎖時、内鍋７と内蓋２２との間が大径パッキン７４でシールされる。また、内蓋本体７１の中央部には、連結軸５５が挿通される挿通孔７５を設けている。また、内蓋本体７１のヒンジ軸５３側の部分には、内鍋７内で発生した蒸気を炊飯器本体１外に排出するための蒸気排出穴７６を設けている。また、内蓋本体７１には、入口６３の周縁部と蒸気排出穴７６の周縁部との間をシールする耐熱ゴム製の小径パッキン７７を取り付けている。
【００４１】
なお、図６の７８は、内蓋２２の取っ手である。
【００４２】
上記構成の炊飯器によれば、蒸気キャップ６０を清掃する場合、まず、爪部６５を弾性変形させて、爪部６５と内蓋２２の他端との係止を解除すると共に、支持部５２から内蓋２２の一端を外して、外蓋２１から内蓋２２を取り外す。そして、外蓋２１から蒸気キャップ６０を取り外して清掃する。この清掃が終わると、蒸気キャップ６０、内蓋２２の順に外蓋２１への取り付けを行う。このとき、もし、外蓋２１への蒸気キャップ６０の付け忘れると、蒸気キャップ６０の爪部６５に内蓋２２の他端を係止させることができないので、内蓋２２の姿勢を清掃前の姿勢に戻せない。したがって、蒸気キャップ６０の付け忘れをユーザに気付かせるこができ、蒸気キャップ６０が未装着のまま、炊飯が行われるのを防ぐことができる。
【００４３】
また、上記内蓋２２の一部が蒸気キャップ６０の一部に重なって、外蓋２１から内蓋２２を取り外さなければ、外蓋２１から蒸気キャップ６０を取り外せないようになっているので、蒸気キャップ６０の清掃後には、外蓋２１への内蓋２２の取り付けが行われる。したがって、蒸気キャップ６０の清掃後、外蓋２１に蒸気キャップ６０を付け忘れたなら、ユーザは、内蓋２２の姿勢が清掃前の姿勢に戻せないことに確実に気付くことができる。
【００４４】
また、上記爪部６５は弾性変形可能であるので、爪部６５と内蓋の他端との係止およびその解除を容易に行うことができる。
【００４５】
仮に、上記外蓋に蒸気キャップ６０を着けていない状態で炊飯が行われると、図７に示すように、蒸気排出穴７６を通過した蒸気は、図中矢印で示すように流れる結果、駆動モータ２４などの故障が生じてしまう。
【００４６】
上記第１実施形態では、誘導加熱方式の炊飯器に本発明を適用した一例について説明したが、例えば抵抗加熱方式の炊飯器に本発明を適用してもよい。
【００４７】
上記第１実施形態では、回転体１１に第１，第２攪拌アーム１２Ａ，１２Ｂの一方の端部を回動可能に取り付けていたが、回転体１１に第１，第２攪拌アーム１２Ａ，１２Ｂのうちの一つだけの一方の端部を回動可能に取り付けてもよい。すなわち、本発明では、攪拌体の本数は２本でなくても、例えば１本にしてもよい。
【００４８】
上記第１実施形態では、被加熱物を攪拌する機能を有する炊飯器に本発明を適用した一例について説明したが、被加熱部を攪拌する機能を有しない炊飯器に本発明を適用してもよい。
【００４９】
上記第１実施形態では、耐熱プラスチック製の蒸気キャップ６０を用いていたが、例えば金属製の蒸気キャップを用いてもよい。
【００５０】
上記実施形態では、内蓋２２の一部が蒸気キャップ６０の一部に重なるようにしていたが、内蓋２２の一部が蒸気キャップ６０の一部に重ならないようにしてもよい。
【００５１】
上記第１実施形態において、支持部５２を弾性材料で形成してもよいし、非弾性材料で形成してもよい。
【００５２】
〔第２実施形態〕
図８は、本発明の第２実施形態の炊飯器が備える蓋体２０２の模式下面図である。また、図８では、図６の第１実施形態の構成部と同一の構成部は、図６の第１実施形態の構成部の参照番号と同一の参照番号を付している。また、以下の説明では、上記第１実施形態の構成部と同一の構成部に、第１実施形態の構成部の参照番号と同一の参照番号を付している。
【００５３】
上記第２実施形態の炊飯器は、蓋体２０２および蒸気キャップ２６０を備える点が、上記第１実施形態の炊飯器と異なっている。この蒸気キャップ２６０は、外蓋２２１の内側に着脱可能に取り付けられ、内鍋７内で発生した蒸気を炊飯器本体１外へ案内する。なお、蒸気キャップ２６０は蒸気案内部材の一例である。
【００５４】
上記蓋体２０２は、外蓋２２１と、この外蓋２２１の内側(内鍋７側)に配置された内蓋２２とを有する。この蓋体２０２は炊飯器本体１に開閉可能に取り付けられて、内鍋７を覆うことが可能になっている。
【００５５】
上記外蓋２２１の内側には、内蓋２２の大部分を収容する内蓋用凹部２８０と、内蓋２２の一端部を支持する弾性変形可能な支持部２５２と、内蓋２２の他端部が係止される弾性変形不可能な爪部２８１，２８１とを設けている。また、図示しないが、外蓋２０２はヒンジ軸５３およびスプリング５４なども有している。
【００５６】
上記外蓋２２１の内側に内蓋２２を配置する場合、まず、内蓋用凹部２８０の底面と爪部２８１，２８１との間に内蓋２２の他端部を挿入して、爪部２８１，２８１に内蓋２２の他端部を係止させる。そして、支持部２５２を弾性変形させて、内蓋２２の一端部を支持部２５２よりも外側(内鍋７側とは反対側)に移動させることにより、支持部２５２に内蓋２２の一端部を支持させ、外蓋２２１の内側に内蓋２２を取り付ける。
【００５７】
一方、上記外蓋２２１から内蓋２２を離す場合、まず、支持部２５２を弾性変形させ、支持部２５２の支持を解除して、内蓋２２の一端部を支持部２５２よりも内鍋７側に移動させる。そして、内蓋用凹部２８０の底面と爪部２８１，２８１との間から内蓋２２の他端部を引き抜いて、外蓋２２１の内側から内蓋２２を取り外す。
【００５８】
図９は、上記内蓋２２が取り外された外蓋２２１の模式下面図である。また、図１０は、内蓋２２および蒸気キャップ２６０が取り外された外蓋２２１の模式下面図である。
【００５９】
上記外蓋２２１の内側には、図９，図１０に示すように、蒸気キャップ２６０が嵌合する蒸気キャップ用凹部２８２を設けている。この蒸気キャップ用凹部２８２の底面には、外蓋２２１を厚さ方向に貫通する貫通孔２８３を設けている。
【００６０】
上記蒸気キャップ２６０は、蒸気排出穴７６からの蒸気が流入する蒸気流入口２６３と、この蒸気流入口２６３からの蒸気を外部へ案内する筒部２６２とを有している。この筒部２６２は貫通孔２８３に嵌合して、先端部が外蓋２２１の上面(内鍋７側とは反対側の表面)から突出する。また、蒸気キャップ２６０の内側には、下方か見た形状がＴ字状形状である取っ手２６７を設けている。
【００６１】
図１１は、図９のIX−IX線から見た模式断面図である。また、図１２は、図１０のXII−XII線から見た模式断面図である。
【００６２】
上記外蓋２２１の内側には、図１１，図１２に示すように、蒸気キャップ２６０が外蓋２２１へ取り付けられることで内蓋２２を蓋体２０２へ配置することが可能となるための機構２９０を設けている。
【００６３】
上記機構２９０は、蒸気キャップ２６０の着脱に連動する可動部材２９１と、この可動部材２９１を蒸気キャップ用凹部２８２側へ付勢するスプリング２９２と、可動部材２９１の移動方向を左右方向(ヒンジ軸５３に平行な方向)に規制する規制部材２９３とを含んでいる。なお、可動部材２９１は内蓋配置阻害部材の一例である。
【００６４】
上記可動部材２９１は、基部２９４と、この基部２９４の後端部に設けられた鉤部２９５とを有して、外蓋２２１に左右方向に移動可能に取り付けられている。この基部２９４の先端部には、蒸気キャップ２６０が摺動する摺動面２９６と、蒸気キャップ２６０に当接する当接面２９７とを設けている。この摺動面２９６は左右方向に対して傾斜する傾斜面であり、当接面２９７は蒸気キャップ２６０の角部のアールに沿うような形状を有している。また、基部２９４の先端部は、蒸気キャップ用凹部２８２の機構２９０側の側部に設けられた貫通孔２８５から突出する量が蒸気キャップ２６０の着脱に応じて変化する。また、鉤部２９５も、この基部２９４の先端部と同様に、内蓋用凹部２８０の機構２９０側の側部に設けられた貫通孔２８６から突出する量が蒸気キャップ２６０の着脱に応じて変化する。
【００６５】
上記スプリング２９２は、一端部が基部２９４の後端部に取り付けられている一方、他端がリブ２８４に取り付けられて、左右方向に伸縮可能となっている。
【００６６】
上記規制部材２９３は、外蓋２２１と一体になっており、外蓋２２１に対して移動不可能になっている。
【００６７】
上記構成の炊飯器によれば、図１２に示すように、外蓋２２１に蒸気キャップ２６０を取り付けていないと、貫通孔２８５に対する基部２９４の先端部の突出量が大きくなると共に、貫通孔２８６に対する鉤部２９５の突出量も大きくなる。したがって、内蓋用凹部２８０の底面と爪部２８１，２８１との間に内蓋２２の他端部を挿入しようとしても、鉤部２９５が内蓋２２の他端部の挿入を阻害するので、蓋２２１の内側に内蓋２２を取り付けることができない。
【００６８】
これに対して、図１１に示すように、外蓋２２１に蒸気キャップ２６０を取り付けると、可動部材２９１は、リブ２８４側に移動して、貫通孔２８５に対する基部２９４の先端部の突出量が小さくなると共に、貫通孔２８６に対する鉤部２９５の突出量も小さくなる。その結果、鉤部２９５が内蓋２２の他端部の挿入を阻害しないので、内蓋用凹部２８０の底面と爪部２８１，２８１との間に内蓋２２の他端部を挿入して、外蓋２２１の内側に内蓋２２を取り付けることができる。
【００６９】
このように、上記可動部材２９１は、外蓋２２１の内側に蒸気キャップ２６０を取り付けていないと、内蓋２２の配置を阻害する状態になる一方、外蓋２２１の内側に蒸気キャップ２６０を取り付けていると、内蓋２２の配置を阻害しない状態になる。したがって、外蓋２２１から蒸気キャップ２６０を取り外して、蒸気キャップ２６０を清掃した後、外蓋２２１に蒸気キャップ２６０を付け忘れると、可動部材２９１の鉤部２９５が内蓋２２の配置を阻害する。したがって、蒸気キャップ２６０の付け忘れをユーザに気付かせて、蒸気キャップ２６０が未装着のまま、炊飯が行われるのを防ぐことができる。
【００７０】
上記第２実施形態の蓋体２０２は、誘導加熱方式の炊飯器で使用してもよいし、抵抗加熱方式の炊飯器で使用してもよい。
【００７１】
上記第２実施形態では、回転体１１に第１，第２攪拌アーム１２Ａ，１２Ｂの一方の端部を回動可能に取り付けていたが、回転体１１に第１，第２攪拌アーム１２Ａ，１２Ｂのうちの一つだけの一方の端部を回動可能に取り付けてもよい。すなわち、本発明では、攪拌体の本数は２本でなくても、例えば１本にしてもよい。
【００７２】
上記第２実施形態の炊飯器は、被加熱物を攪拌する機能を有していたが、被加熱部を攪拌する機能を有さなくてもよい。
【００７３】
上記第２実施形態の蒸気キャップ２６０は、耐熱プラスチック製であってもよいし、金属製であってもよい。つまり、蒸気キャップ２６０は、耐熱性を有するようにできれば、どのような材料で形成してもよい。
【００７４】
上記第２実施形態において、支持部２５２は弾性変形可能になっていたが、弾性変形不可能にしてもよい。このようにする場合、伝声変形不可能な支持部の一端部を回動可能に外蓋２２１に取り付けてもよい。
【００７５】
上記第２実施形態では、外蓋２２１の内側に、内蓋２２の大部分を収容する内蓋用凹部２８０を設けていたが、内蓋２２の全部を収容する内蓋用凹部を設けてもよい。
【符号の説明】
【００７６】
１…炊飯器本体
２…蓋体
７…内鍋
２１…外蓋
２２…内蓋
５２…支持部
６０…蒸気キャップ
６１…第１延在部
６２…第２延在部
６３…入口
６４…出口
６５…爪部
７１…内蓋本体
７２…枠体
７３…環状溝
７４…大径パッキン
７５…挿通孔
７６…蒸気排出穴
７７…小径パッキン
９０…機構
２０２…蓋体
２２１…外蓋
２５２…支持部
２６０…蒸気キャップ
２８０…内蓋用凹部
２８１…爪部
２８２…蒸気キャップ用凹部
２８３，２８５，２８６…貫通孔
２９０…機構
２９１…可動部材
２９２…スプリング
２９３…規制部材
２９４…基部
２９５…鉤部
２９６…摺動面
２９７…当接面
【図１】
2013223705.tif 000003
【図２】
2013223705.tif 000004
【図３】
2013223705.tif 000005
【図４】
2013223705.tif 000006
【図５】
2013223705.tif 000007
【図６】
2013223705.tif 000008
【図７】
2013223705.tif 000009
【図８】
2013223705.tif 000010
【図９】
2013223705.tif 000011
【図１０】
2013223705.tif 000012
【図１１】
2013223705.tif 000013
【図１２】
2013223705.tif 000014